(57)【要約】【課題】  修正指示が書き込まれた印刷製版用原稿を光電的に読み取ったデジタル画像データを画像編集端末へ送信する際に、その読取方向に誤りがあった場合でも、容易にこれを修正することを可能にする。【解決手段】  スキャナ手段３ａにより読み取られた印刷製版用修正原稿Ｃのデジタル画像データは、保存手段３ｃに保存される。モニタ表示手段３ｄは、そのデジタル画像データに基づく印刷製版用修正原稿Ｃの画像を表示する。印刷発注主やデザイナーは、その画像方向（即ち、スキャナ手段３ａによる画像読取方向）に誤りがないかを確認する。ここで、誤りがあった場合には、画像方向変更操作手段３ｅによってその画像方向を所定方向に９０度単位で回転させる操作を行う。画像方向変更処理手段３ｆは、その操作に応じて、保存手段３ｃに保存された当該印刷製版用修正原稿Ｃのデジタル画像データに対して画像方向を所定方向に所定角度だけ回転させる回転変換を行う。【選択図】      図３
2005340908.tif 000002
【特許請求の範囲】
【請求項１】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記画像編集端末とネットワークを介して接続され、前記送信されたデジタル画像データを受信して、前記印刷製版用原稿の画像を出力する画像出力装置とから構成される印刷製版用原稿校正システムであって、
前記画像出力装置は、
前記印刷製版用原稿の画像上に修正指示が書き込まれた印刷製版用修正原稿を光電的に読み取り、デジタル画像データに変換する読取手段と、
前記変換されたデジタル画像データを保存する保存手段と、
前記変換されたデジタル画像データに基づいて、前記印刷製版用修正原稿の画像を表示する表示手段と、
前記表示された印刷製版用修正原稿の画像を所定方向に９０度単位で回転させるための操作手段と、
前記操作手段による操作に応じて、前記保存されたデジタル画像データに対して前記印刷製版用修正原稿の画像を所定方向に回転させる回転変換を行う回転変換手段と、
前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信手段と、を備えたことを特徴とする印刷製版用原稿校正システム。
【請求項２】
前記画像出力装置は、カラーレーザープリンタであることを特徴とする請求項１に記載の印刷製版用原稿校正システム。
【請求項３】
印刷製版用原稿の画像を表示する表示手段と、前記表示された印刷製版用原稿の画像を編集するための編集手段とを備えた画像編集端末にネットワークを介して接続され、前記画像編集端末から、前記編集手段によって編集された前記印刷製版用原稿に基づくデジタル画像データの送信を受けて、前記印刷製版用原稿の画像を出力する画像出力装置であって、
前記印刷製版用原稿の画像上に修正指示が書き込まれた印刷製版用修正原稿を光電的に読み取り、デジタル画像データに変換する読取手段と、
前記変換されたデジタル画像データを保存する保存手段と、
前記変換されたデジタル画像データに基づいて、前記印刷製版用修正原稿の画像を表示する表示手段と、
前記表示された印刷製版用修正原稿の画像を所定方向に９０度単位で回転させるための操作手段と、
前記操作手段による操作に応じて、前記保存されたデジタル画像データに対して前記印刷製版用修正原稿の画像を所定方向に回転させる回転変換を行う回転変換手段と、
前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信手段と、を備えたことを特徴とする画像出力装置。
【請求項４】
前記画像出力装置は、カラーレーザープリンタであることを特徴とする請求項３に記載の画像出力装置。
【請求項５】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記画像編集端末とネットワークを介して接続され、前記送信されたデジタル画像データを受信して、前記印刷製版用原稿の画像を出力する画像出力装置とから構成される印刷製版用原稿校正システムにおける印刷製版用原稿校正方法であって、
前記画像出力装置において、
前記印刷製版用原稿の画像上に修正指示が書き込まれた印刷製版用修正原稿を光電的に読み取り、デジタル画像データに変換する読取ステップと、
前記変換されたデジタル画像データを保存する保存ステップと、
前記変換されたデジタル画像データに基づいて、前記印刷製版用修正原稿の画像を表示する表示ステップと、
前記表示された印刷製版用修正原稿の画像を所定方向に９０度単位で回転させるための操作に応じて、前記保存されたデジタル画像データに対して前記印刷製版用修正原稿の画像を所定方向に回転させる回転変換を行う回転変換ステップと、
前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信ステップと、を含むことを特徴とする印刷製版用原稿校正方法。
【請求項６】
前記画像出力装置は、カラーレーザープリンタであることを特徴とする請求項１に記載の印刷製版用原稿校正方法。
【請求項７】
印刷製版用原稿の画像を表示する表示手段と、前記表示された印刷製版用原稿の画像を編集するための編集手段とを備えた画像編集端末にネットワークを介して接続され、前記画像編集端末から、前記編集手段によって編集された前記印刷製版用原稿に基づくデジタル画像データの送信を受けて、前記印刷製版用原稿の画像を出力する画像出力装置のコンピュータにより実行されるプログラムであって、
前記印刷製版用原稿の画像上に修正指示が書き込まれた印刷製版用修正原稿を光電的に読み取り、デジタル画像データに変換する読取処理ステップと、
前記変換されたデジタル画像データを保存する保存処理ステップと、
前記変換されたデジタル画像データに基づいて、前記印刷製版用修正原稿の画像を表示する表示処理ステップと、
前記表示された印刷製版用修正原稿の画像を所定方向に９０度単位で回転させる操作に応じて、前記保存されたデジタル画像データに対して前記印刷製版用修正原稿の画像を所定方向に回転させる回転変換を行う回転変換処理ステップと、
前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信処理ステップと、を含むことを特徴とするプログラム。
【請求項８】
前記画像出力装置は、カラーレーザープリンタであることを特徴とする請求項７に記載のプログラム。
【請求項９】
請求項７又は請求項８に記載のプログラムを前記画像出力装置のコンピュータによって読み出し可能に記憶したことを特徴とする記憶媒体。
【発明の詳細な説明】
【技術分野】
【０００１】
本発明は、修正指示が書き込まれた印刷製版用原稿を光電的に読み取ったそのデジタル画像データを、画像編集を行うための画像編集端末へ送信するに際して、その原稿読取方向に誤りがあった場合でも、再度これを読み取るといった面倒な作業を行うことなく、容易にその方向修正を行うことができる印刷製版用原稿校正システム、画像出力装置、印刷製版用原稿校正方法、プログラム及びそのプログラムを記憶した記憶媒体に関する。
【背景技術】
【０００２】
近年、印刷製版工程では、ＤＴＰ（Ｄｅｓｋ  Ｔｏｐ  Ｐｕｂｌｉｓｈｉｎｇ）等の普及により、スキャナによって読み取った印刷製版用原稿をコンピュータのソフトウェア上で画像編集してページ面付けする作業が一般化してきており、フルディジタルでの画像編集を行うことが珍しくなくなっている。
【０００３】
このような印刷製版工程では、さらなる効率化を目指して、フィルムに印刷製版用原稿の画像データを直接出力するイメージセッタ出力や、印刷版に、直接、印刷製版用原稿の記録を行うＣＴＰ（Ｃｏｍｐｕｔｅｒ  ｔｏ  Ｐｌａｔｅ）出力、さらには印刷機のシリンダー上に巻かれた印刷版に、直接、印刷製版用原稿の記録を行うＣＴＣ（Ｃｏｍｐｕｔｅｒ  ｔｏ  Ｃｙｌｉｎｄｅｒ）等が行われるようになっている。
【０００４】
しかしながら、このような場合に、印刷製版用原稿の校正を行うために、一度だけフィルム出力や印刷版出力を行う“印刷校正”や、“その他の校正材料による校正”等を行うことは、フィルムや印刷版にムダが生じ、また、余計な作業が多くなる問題がある。
【０００５】
そこで、このような印刷製版工程では、ＤＤＣＰ（Ｄｉｒｅｃｔ  Ｄｉｇｉｔａｌ  Ｃｏｌｏｒ  Ｐｒｏｏｆ）と呼ばれる、直接、カラー画像出力を行うシステムが求められるようになった。
【０００６】
このようなＤＤＣＰは、上述したように、“ページ面付け済みの画像データをイメージセッタなどで製版用フィルム上に記録”したり、“ＣＴＰで印刷版を作成する最終的な印刷作業”を行ったり、“ＣＴＣで印刷機のシリンダー上に巻かれた印刷版に画像記録”を行ったりするよりも前に、これを再現した色見本であるＤＣＰ（Ｄｉｇｉｔａｌ  Ｃｏｌｏｒ  Ｐｒｏｏｆ）を作成して、その絵柄、色調、文章文字等の確認を行うことを目的とするものである。
【０００７】
ところで、最近では、カラーレーザープリンタの性能向上に伴い、安価で高速に高品位な画像出力を行うことが可能になってきたことから、ＤＣＰを作成する用途にこのカラーレーザープリンタを使用したいという要求が高まってきている。
【０００８】
因みに、このようなカラーレーザープリンタとしては、特開平５−４８８５７号公報に開示される電子写真方式のカラーレーザープリンタや、スキャナ・コピア・ファクシミリ機能を併せ持つ複合機等を挙げることができる(例えば、特許文献１参照)。
【０００９】
ところで、ＤＤＣＰにおいて、このカラーレーザープリンタが設置される場所、即ち、ＤＣＰを作成する場所は、印刷発注主やデザイン製作社の所在地であり、また、このカラーレーザープリンタに対して印刷製版用原稿の画像データを送信してくる画像編集端末が設置される場所、即ち、印刷製版用原稿の画像編集や印刷作業を行う場所は、印刷会社の所在地となっている。
【００１０】
これらは距離的に離れていることが多いことから、従来においては、印刷会社にて作成したカラープルーフを発注主やデザイン製作社に郵送して、発注主やデザイン製作社側で修正が必要な箇所を「赤入れ（修正指示をマジックペンなどで書き込み、その指示を行うこと）」して、これを印刷会社に返送するといった工程が複数回繰り返されることになっている。
【００１１】
しかしながら、このような工程では、郵送料金や日数等がかかるという問題があるため、最近では、発注主やデザイン製作社側に設置されたカラーレーザープリンタに対して、印刷会社側の画像編集端末から印刷製版用原稿の画像データをネットワーク経由で送信して、その画像出力を行う「リモート校正」が実施されるようになってきている。さらには、発注主やデザイン製作社側では、ＤＣＰとして出力された印刷製版用原稿に対して「赤入れ」を行ったものを、例えばカラーレーザープリンタに備えられたスキャナで読み取り、デジタル画像データ化して印刷会社にネットワーク経由で返信することが実施され始めている。
【００１２】
さらには、例えば特開２００３−１４３３９４号公報に記載されるリモートカラープルーフシステムのように、この「赤入れ」印刷製版用原稿のスキャンデータの取り扱いに関して、「赤入れ」部分の画像データ（以下、「赤入れ」情報と称する）とオリジナルの印刷製版用原稿の画像データとを別の階層に分けてハンドリングすることが提案されている。これは、印刷会社側の画像編集端末において「赤入れ」情報をオリジナルの印刷製版用原稿の画像データ上で再構成して、紙出力することを意図したものである（例えば、特許文献２参照）。
【００１３】
しかしながら、このようなハンドリングを行うためには、リモートカラープルーフシステムにおいて、上述した階層を分割する処理やそれらの再構成等を行うための複雑な処理機能を備える必要があるため、システムのコストアップが招かれることになる。
【００１４】
ここで、印刷製版用原稿に「赤入れ」を行う本来の目的は、その修正指示を伝達することにあることから、必ずしも紙出力を行う必要はなく、画面上でこれを確認することができるだけで十分である。即ち、上述したように「赤入れ」情報とオリジナルの印刷製版用原稿の画像データとを別の階層に分ける必要はなく、「赤入れ」された印刷製版用原稿のスキャン画像をそのまま表示できれば良い。
【００１５】
【特許文献１】特開平５−４８８５７号公報（段落〔００１１〕‐〔００７０〕、第１図乃至第１３図）
【特許文献２】特開２００３−１４３３９４号公報（段落〔００１５〕‐〔００６４〕、第１図乃至第７図）
【発明の開示】
【発明が解決しようとする課題】
【００１６】
しかしながら、そもそも「赤入れ」された印刷製版用原稿をスキャナで読み取る際には、スキャナの原稿読取面に誤った方向でこれを載置してしまうと、デジタル画像データにおける印刷製版用原稿の画像方向が狂ってしまい、これを表示した場合には、その確認をしづらくなる問題が生じる。
【００１７】
このような場合には、作業者は、「赤入れ」された印刷製版用原稿をスキャナの原稿読取面に正しい方向で載置した上で、再度、スキャン操作を行う必要がある。このような作業は、非常に手間が掛かり面倒なものである。
【００１８】
本発明は、上記課題を鑑みて成されたものであり、その目的とするところは、修正指示が書き込まれた印刷製版用原稿を光電的に読み取ったデジタル画像データをその画像編集を行うための画像編集端末へ送信するに際して、その原稿読取方向に誤りがあった場合にも、再度これを読み取るといった面倒な作業を行うことなく、容易にこれを修正することができる印刷製版用原稿校正システム、画像出力装置、印刷製版用原稿校正方法、プログラム及びそのプログラムを記憶した記憶媒体を提供することにある。
【課題を解決するための手段】
【００１９】
上記課題を解決するために、請求項１に記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記画像編集端末とネットワークを介して接続され、前記送信されたデジタル画像データを受信して、前記印刷製版用原稿の画像を出力する画像出力装置とから構成される印刷製版用原稿校正システムであって、前記画像出力装置は、前記印刷製版用原稿の画像上に修正指示が書き込まれた印刷製版用修正原稿を光電的に読み取り、デジタル画像データに変換する読取手段と、前記変換されたデジタル画像データを保存する保存手段と、前記変換されたデジタル画像データに基づいて、前記印刷製版用修正原稿の画像を表示する表示手段と、前記表示された印刷製版用修正原稿の画像を所定方向に９０度単位で回転させるための操作手段と、前記操作手段による操作に応じて、前記保存されたデジタル画像データに対して前記印刷製版用修正原稿の画像を所定方向に回転させる回転変換を行う回転変換手段と、前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信手段と、を備えたことを特徴とする。
【００２０】
上記課題を解決するために、請求項３に記載の発明は、印刷製版用原稿の画像を表示する表示手段と、前記表示された印刷製版用原稿の画像を編集するための編集手段とを備えた画像編集端末にネットワークを介して接続され、前記画像編集端末から、前記編集手段によって編集された前記印刷製版用原稿に基づくデジタル画像データの送信を受けて、前記印刷製版用原稿の画像を出力する画像出力装置であって、前記印刷製版用原稿の画像上に修正指示が書き込まれた印刷製版用修正原稿を光電的に読み取り、デジタル画像データに変換する読取手段と、前記変換されたデジタル画像データを保存する保存手段と、前記変換されたデジタル画像データに基づいて、前記印刷製版用修正原稿の画像を表示する表示手段と、前記表示された印刷製版用修正原稿の画像を所定方向に９０度単位で回転させるための操作手段と、前記操作手段による操作に応じて、前記保存されたデジタル画像データに対して前記印刷製版用修正原稿の画像を所定方向に回転させる回転変換を行う回転変換手段と、前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信手段と、を備えたことを特徴とする。
【００２１】
上記課題を解決するために、請求項５に記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記画像編集端末とネットワークを介して接続され、前記送信されたデジタル画像データを受信して、前記印刷製版用原稿の画像を出力する画像出力装置とから構成される印刷製版用原稿校正システムにおける印刷製版用原稿校正方法であって、前記画像出力装置において、前記印刷製版用原稿の画像上に修正指示が書き込まれた印刷製版用修正原稿を光電的に読み取り、デジタル画像データに変換する読取ステップと、前記変換されたデジタル画像データを保存する保存ステップと、前記変換されたデジタル画像データに基づいて、前記印刷製版用修正原稿の画像を表示する表示ステップと、前記表示された印刷製版用修正原稿の画像を所定方向に９０度単位で回転させるための操作に応じて、前記保存されたデジタル画像データに対して前記印刷製版用修正原稿の画像を所定方向に回転させる回転変換を行う回転変換ステップと、前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信ステップと、を含むことを特徴とする。
【００２２】
上記課題を解決するために、請求項７に記載の発明は、印刷製版用原稿の画像を表示する表示手段と、前記表示された印刷製版用原稿の画像を編集するための編集手段とを備えた画像編集端末にネットワークを介して接続され、前記画像編集端末から、前記編集手段によって編集された前記印刷製版用原稿に基づくデジタル画像データの送信を受けて、前記印刷製版用原稿の画像を出力する画像出力装置のコンピュータにより実行されるプログラムであって、前記印刷製版用原稿の画像上に修正指示が書き込まれた印刷製版用修正原稿を光電的に読み取り、デジタル画像データに変換する読取処理ステップと、前記変換されたデジタル画像データを保存する保存処理ステップと、前記変換されたデジタル画像データに基づいて、前記印刷製版用修正原稿の画像を表示する表示処理ステップと、前記表示された印刷製版用修正原稿の画像を所定方向に９０度単位で回転させる操作に応じて、前記保存されたデジタル画像データに対して前記印刷製版用修正原稿の画像を所定方向に回転させる回転変換を行う回転変換処理ステップと、前記回転変換されたデジタル画像データを、当該デジタル画像データに基づく画像である前記修正指示が書き込まれた印刷製版用原稿の画像を表示してこれを前記修正指示に従って再編集するための前記画像編集端末へ送信する送信処理ステップと、を含むことを特徴とする。
【００２３】
上記課題を解決するために、請求項９に記載の発明は、請求項７又は請求項８に記載のプログラムを前記画像出力装置のコンピュータによって読み出し可能に記憶したことを特徴とする。
【発明の効果】
【００２４】
本発明に係る印刷製版用原稿校正システム、画像出力装置、印刷製版用原稿校正方法、プログラム及びそのプログラムを記憶した記憶媒体によれば、修正指示が書き込まれた印刷製版用原稿を光電的に読み取ったそのデジタル画像データを、画像編集を行うための画像編集端末へ送信するに際して、その印刷製版用修正原稿の画像を表示し、作業者がその画像方向を所定方向に９０度単位で回転させる操作を行った場合には、これに応じて当該印刷製版用修正原稿のデジタル画像データに対してその画像方向を所定方向に回転させる回転変換を行うので、作業者は、印刷製版用修正原稿の読取方向を確認することができ、その読取方向に誤りがあった場合でも、再度その印刷製版用修正原稿を読み取るといった面倒な作業を行うことなく、容易にこれを修正することができる。
【発明を実施するための最良の形態】
【００２５】
以下、本発明に係る印刷製版用原稿校正システム、画像出力装置、印刷製版用原稿校正方法、プログラム及びそのプログラムを記憶した記憶媒体の一実施形態について、図面を参照しながら詳細に説明する。
【００２６】
［印刷製版用原稿校正システム］
まず、本実施形態における印刷製版用原稿校正システムの全体構成及び概略動作について、図１を参照しつつ、図２に示すフローチャートの流れに沿って説明する。
【００２７】
＜全体構成＞
図１に示すように、当該印刷製版用原稿校正システムは、印刷製版用原稿の一部を構成するカンプ用画像データの画像編集や面付け作業を行うための画像編集端末であるクライアント端末１と、このクライアント端末１からネットワーク（インターネット等）を介して送信された、例えばＰｏｓｔＳｃｒｉｐｔで記述されたカンプ用画像データ（ページ面付けする前の単ページの画像データ）や、後述するＣＴＰ用ＲＩＰ４から送信された印刷製版用原稿の画像データ（カンプ用画像データを複数面付けした画像データ）に必要に応じて、即ち、その画像データにＲＩＰ処理（後述する画像出力装置であるカラーレーザープリンタ３の出力解像度にあわせてビットマップデータに変換する処理）が施されていない場合にこれを施し、出力情報、具体的には、それら画像データに基づく画像を出力する記録用紙のサイズ及び種類を指定する情報と共に後述する画像出力装置であるカラーレーザープリンタ３に送信する制御装置２と、この制御装置２から送信されたカンプ用画像データに基づくカンプ画像や、後述するＣＴＰ用ＲＩＰ４から送信された印刷製版用原稿の画像データに基づく印刷製版用原稿の画像を出力情報に従って該当するサイズ及び種類の記録用紙に出力（画像の大きさによっては、これを分割して出力）するカラーレーザープリンタ３とを備えている。
【００２８】
当該印刷製版用原稿校正システムは、さらに、クライアント端末１から送信された、例えばＰｏｓｔＳｃｒｉｐｔで記述された印刷製版用原稿の画像データにＲＩＰ処理（ＣＴＰ６やＤＣＰ作成装置７の出力解像度にあわせてビットマップデータに変換する処理）を行った後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信された印刷製版用原稿の画像データに基づく印刷製版用原稿の画像をＤＣＰとして出力するＤＣＰ作成装置７と、このＣＴＰ用ＲＩＰ４から送信された印刷製版用原稿の画像データに基づく印刷製版用原稿の画像を出力するＣＴＰ６とから構成されている。
【００２９】
尚、図1に示すように、クライアント端末１、ＣＴＰ用ＲＩＰ４、ＣＴＰ６、ＤＣＰ制御装置５及びＤＣＰ作成装置７は、印刷会社に設置され、制御装置２及びカラーレーザープリンタ３は、印刷発注主やデザイン製作業社の所在地に設置される。
【００３０】
また、クライアント端末１、制御装置２、ＣＴＰ用ＲＩＰ４及びＤＣＰ制御装置５は、各々、コンピュータ端末として動作するものであって、コンピュータ本体、キーボード、表示手段等を備え、上述したカンプ用画像データの画像編集やページ面付け等の作業を行うための所定のプログラムが組み込まれている。さらに、クライアント端末１は、イメージスキャナ等の必要な画像入力機器を備えている。
【００３１】
また、カラーレーザープリンタ３は、電子写真方式の複写手段や、イメージスキャナ等の読取手段を備える複合機（＝マルチファンクションプリンタ）であって、この他、複数のサイズや種類の記録用紙を収納する複数の給紙カセットと、この給紙カセットの各々に収納される記録用紙のサイズ及び種類を当該装置３に内蔵される用紙情報記憶手段に記憶させる入力操作を行う入力手段及びその際に入力画面を表示する表示手段（例えば、タッチパネル等）を備え、上述したように、制御装置２から送信される出力情報に従って、該当するサイズ及び種類の記録用紙を収納する給紙カセットを選択して、当該選択された給紙カセットより給紙する記録用紙にカンプ用画像データに基づくカンプ画像や印刷製版用原稿の画像データに基づく印刷製版用原稿の画像を出力（画像の大きさによっては、これを分割して出力）する。
【００３２】
＜概略動作＞
図２に示すように、このような構成において、クライアント端末１において画像編集されたカンプ用画像データは、制御装置２へ送信され、これを受けた制御装置２は、当該カンプ用画像データと共に出力情報をカラーレーザープリンタ３へ送信し、これを受けたカラーレーザープリンタ３は、出力情報に従って、該当するサイズ及び種類の記録用紙にカンプ画像を出力することでカラーカンプを作成する（Ｓ０１）。尚、此処に言う“カラーカンプ”とは、色付きの仕上がり見本のことであって、ページ面付けされる写真やイラストのダミーとして最終的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナーにより文字校正等の作業結果確認が行われる。
【００３３】
ここで、印刷発注主やデザイナーにより、問題となる部分、即ち、修正が必要な箇所に対して修正指示、具体的には「赤入れ（マジックペンなどでの書き込み）」が行われ、さらに、その「赤入れ」したカラーカンプは、カラーレーザープリンタ３のイメージスキャナによって読み取られる。これを受けたカラーレーザープリンタ３においては、これをデジタル画像データに変換して、そのデジタル画像データをクライアント端末１に送信する。尚、このデジタル画像データの送信の詳細については、後述する[カラーレーザープリンタ]の処で説明する。
【００３４】
これを受けたクライアント端末１では、表示手段にそのデジタル画像データに基づく画像、即ち、「赤入れ」されたカンプ画像を表示する。印刷会社の作業者は、その「赤入れ」された修正指示に従って、当該クライアント端末１において、そのカンプ用画像データの画像編集を行う。そして、編集されたカンプ用画像データは、再度、制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙に、再度、カンプ画像を出力して、カラーカンプを作成する。
【００３５】
このような作業が複数回繰り返された上で、印刷発注主やデザイナーにより問題がないことが確認された場合には（Ｓ０２、Ｙｅｓ）、印刷会社の作業者によりクライアント端末１において面付け作業が行われる（Ｓ０３）。尚、此処に言う“面付け作業”とは、製版フィルムを最終的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。これにより、印刷製版用原稿の画像データが作成される。
【００３６】
そして、印刷会社の作業者によりクライアント端末１からＣＴＰ用ＲＩＰ４へ面付け作業が行われた印刷製版用原稿の画像データが送信されると、これを受けたＣＴＰ用ＲＩＰ４は、その印刷製版用原稿の画像データに対してＲＩＰ処理を施す。具体的には、ＤＣＰ作成装置７やＣＴＰ６の出力解像度にあわせてビットマップデータに変換することでＲＩＰ処理済み画像データを作成する（Ｓ０４）。このＲＩＰ処理済み画像データは、ＣＴＰ用ＲＩＰ４から制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙にその印刷製版用原稿の画像データに基づく印刷製版用原稿の画像を出力（画像の大きさによっては、これを分割出力）する（Ｓ０５）。ここで、分割出力が行われた場合には、印刷発注主やデザイナーは、それらの出力物を貼り合せることで、最終的にＤＣＰを作成する。また、高精度のＤＣＰが必要になる場合には、ＣＴＰ用ＲＩＰ４は、ＲＩＰ処理済み画像データをＤＣＰ制御装置７へ送信して、これを受けたＤＣＰ制御装置７は、ＤＣＰ作成装置８の出力制御を行い、ＤＣＰ作成装置８がその印刷製版用原稿の画像データに基づく印刷製版用原稿の画像を出力する（Ｓ０５）。即ち、この場合には、面付けされた印刷製版用原稿の画像が1枚のＤＣＰとして出力される。尚、カラーレーザープリンタ３において、印刷製版用原稿の画像が出力される記録用紙は、出力情報によって、印刷機において使用される印刷用紙と同様若しくは似通った種類のものが指定されることとする。
【００３７】
そして、ＤＣＰの色校正が行われ、印刷発注主やデザイナーにより問題がないことが確認された場合には（Ｓ０６、Ｙｅｓ）、印刷発注主やデザイナーは、ＣＴＰ用ＲＩＰ４からＲＩＰ処理済みデータ（ＤＣＰを出力する際に用いたデータと同一のデータ）をＣＴＰ６に送信して、これを受けたＣＴＰ６は、印刷版に、直接、画像記録を行う（Ｓ０７）。さらに、印刷会社の作業者は、その印刷版により印刷を行い、その印刷物である印刷原稿の色校正が行われ、ここで、問題がないことが確認された場合には（Ｓ０８、Ｙｅｓ）、印刷機により印刷原稿を印刷する印刷工程に移行する（Ｓ０９）。
【００３８】
［カラーレーザープリンタ］
次に、当該印刷製版用原稿校正システムを構成するカラーレーザープリンタ３の詳細構成及び詳細動作について、図３及び図５を参照しつつ、図４に示すフローチャートの流れに沿って説明する。尚、以下においては、クライアント端末１から制御装置２を介して受信したカンプ用画像データに基づくカンプ画像を当該カラーレーザープリンタ３において出力することでカラーカンプを作成して、作業者がその校正を行い、問題がないことが確認された場合にクライアント端末１において当該カンプ用画像データの面付け作業を行うまでの一連の処理の流れについて、本発明の特徴部分を抽出しながら説明する。但し、上述したカラーカンプは、本発明の「印刷製版用原稿」に含まれるものとし、以下においては、これを“印刷製版用原稿Ｃ”として取り扱う。
【００３９】
＜詳細構成＞
図３に示すように、カラーレーザープリンタ３は、「赤入れ」された印刷製版用原稿（以下、印刷製版用修正原稿と称する）Ｃを読み取り、デジタル画像データに変換するスキャナ手段３ａと、このスキャナ手段３ａにより印刷製版用修正原稿Ｃを読み取る際の解像度を、指定画面を介して作業者に指定させるための解像度指定手段３ｂと、このスキャナ手段３ａによって変換された印刷製版用修正原稿Ｃのデジタル画像データを保存する保存手段３ｃと、この保存手段３ｃに保存された印刷製版用修正原稿Ｃのデジタル画像データに基づく印刷製版用修正原稿Ｃの画像を表示するモニタ表示手段３ｄと、を備えている。
【００４０】
ここで、スキャナ手段３ａは、本発明の「読取手段」に対応する。また、保存手段３ｃは、本発明の「保存手段」に対応する。また、モニタ表示手段３ｄは、本発明の「表示手段」に対応する。
【００４１】
当該カラーレーザープリンタ３は、さらに、このモニタ表示手段３ｄに表示された印刷製版用修正原稿Ｃの画像方向を９０度単位で所定方向に回転させるための画像方向変更操作手段３ｅと、この画像方向変更操作手段３ｅによる操作に応じて、保存手段３ｃに保存された印刷製版用修正原稿Ｃのデジタル画像データに対して、その印刷製版用修正原稿の画像を所定方向に回転させる回転変換を行う画像方向変更処理手段３ｆと、この画像方向変更処理手段３ｆによって回転変換された印刷製版用修正原稿Ｃのデジタル画像データを、解像度指定手段３ｂによって指定された解像度にてクライアント端末１へネットワークＮを介して送信する送信手段３ｇと、から構成されている。
【００４２】
ここで、画像方向変更操作手段３ｅは、本発明の「操作手段」に対応する。また、画像方向変更処理手段３ｆは、本発明の「回転変換手段」に対応する。また、送信手段３ｇは、本発明の「送信手段」に対応する。
【００４３】
一方、クライアント端末１は、カラーレーザープリンタ３から送信された印刷製版用修正原稿Ｃのデジタル画像データを受信する受信手段１ａと、この受信手段１ａによって受信された印刷製版用修正原稿Ｃのデジタル画像データに基づく印刷製版用修正原稿Ｃの画像を表示するモニタ表示手段１ｂと、から構成されている。
【００４４】
＜詳細動作＞
このような構成において、カラーレーザープリンタ３が、クライアント端末１から制御装置２を介して受信したカンプ用画像データに基づくカンプ画像を出力することでカラーカンプ（尚、以下においては、印刷製版用修正原稿Ｃとする）を作成すると、印刷発注主やデザイナーは、図４に示すように、当該カラーレーザープリンタ３の解像度指定手段３ｂにおいて、スキャナ手段３ａによってその印刷製版用修正原稿Ｃを読み取る際の解像度（以下、スキャン解像度と称する）を指定する。この際、モニタ表示手段３ｄは、このスキャン解像度を指定するための指定画面を表示して、印刷発注主やデザイナーは、当該指定画面において解像度指定手段３ｂの操作によってスキャン解像度を指定する。これによりスキャン解像度の情報が取得される（Ｓ１０）。尚、当該指定画面においては、保存手段３ｃに保存される印刷製版用修正原稿Ｃのデジタル画像データの解像度を、クライアント端末１のモニタ表示手段１ｂの表示画面上での視認性を鑑みた必要最小限の解像度に規定するべく、当該解像度を４６．４ｄｐｉから３２５．１ｄｐｉまでの範囲内で指定するように、当該範囲を明示する、或いは、当該範囲内でのみ解像度の指定を行うことができるようにするといった表示を行う。
【００４５】
ここで、スキャナ手段３ａによって印刷製版用修正原稿Ｃを読み取る際の解像度を４６．４ｄｐｉから３２５．１ｄｐｉまでの範囲内で指定することの根拠について、図５を参照しながら説明する。
【００４６】
例えば、スキャナ手段３ａによって６００ｄｐｉでＡ３サイズ（２９７×４２０ｍｍ）の印刷製版用修正原稿Ｃをスキャンした場合、そのデジタル画像データ（ＲＧＢ）の容量は２００ＭＢ強となるが、１００ｄｐｉでは、約５．８ＭＢで済む。このようなことを鑑みるに、本用途（クライアント端末１のモニタ表示手段１ｂ）における最適な解像度範囲は、下記に掲げる前提から決定することができる。
【００４７】
前提１；クライアント端末１のモニタ表示手段１ｂにおける１ｄｏｔに画像データの１ｄｏｔを割り当てれば、モニタ表示上での視認に何ら問題はない。
前提２；カラーレーザープリンタ３のスキャナ手段３ａによってスキャンされる印刷製版用修正原稿Ｃは、葉書サイズ（１４８×１００ｍｍ）からＡ３サイズの範囲（途中、Ａ４、Ｂ４等を含む）である。
前提３；クライアント端末１のモニタ表示手段１ｂとして使用されるモニタの解像度は、最小で７６８×１０２４ｄｏｔ、最大でも１０２４×１２８０ｄｏｔ程度である。
【００４８】
このような前提下においては、例えば、７６８×１０２４ｄｏｔの解像度を有するクライアント端末１のモニタ表示手段３ａにＡ３縦の印刷製版用修正原稿Ｃの画像を表示する場合（縦４２０ｍｍの原稿を７６８ｄｏｔで表示する場合）に、そのデジタル画像データの解像度は最小、具体的には、７６８／４２０ｄｐｍｍ＝１．８２８ｄｐｍｍ＝４６．４ｄｐｉとなる。一方、１０２４×１２８０ｄｏｔの解像度を有するクライアント端末１のモニタ表示手段１ｂに葉書サイズ（１４８×１００ｍｍ）の印刷製版用修正原稿Ｃを表示する場合（但し、横１００ｍｍの原稿を１２８０ｄｏｔで表示する場合）に、そのデジタル画像データの解像度は最大、具体的には、１２８０／１００ｄｐｍｍ＝１２．８ｄｐｍｍ＝３２５．１ｄｐｉとなる。このため、カラーレーザープリンタ３からクライアント端末１へ印刷製版用修正原稿Ｃのデジタル画像データを送信する際には、この範囲内で解像度を決定するのが適当となる。即ち、この範囲内において解像度が決定される限りにおいては、最小限に必要な画質を得ることができるが、この範囲を超えることは、余剰なデジタル画像データのネットワーク転送が増えることになり、逆にこの範囲を下回ることは、画面上での視認が困難になることになる。
【００４９】
このようなことから、印刷発注主やデザイナーは、解像度指定手段３ｂにより、保存手段３ｃに保存される印刷製版用修正原稿Ｃのデジタル画像データの解像度を指定する際に、当該デジタル画像データの画像サイズと、クライアント端末１の表示手段１ｂの表示画面における解像度に応じて、保存手段３ｃに保存されたデジタル画像データの画像を構成する１画素（ｄｏｔ）をクライアント端末１の表示手段１ｂの表示画面における１画素（ｄｏｔ）に割り当てることで、上述した４６．４ｄｐｉから３２５．１ｄｐｉまでの範囲内において、クライアント端末１の表示手段１ｂの表示画面上における視認性を鑑みた必要最小限の解像度を指定する。
【００５０】
説明に戻って、印刷発注主やデザイナーは、さらに、スキャナ手段３ａによって印刷製版用修正原稿Ｃを読み取る作業を行う（Ｓ１１、Ｙｅｓ）。これにより、スキャンが実行されて、印刷製版用修正原稿Ｃがデジタル画像データに変換される（読取ステップ；Ｓ１２）。変換された印刷製版用修正原稿Ｃのデジタル画像データは、保存手段３ｃに保存される（保存ステップ；Ｓ１３）。また一方で、モニタ表示手段３ｄは、その印刷製版用修正原稿Ｃのデジタル画像データに基づく印刷製版用修正原稿Ｃの画像を表示する（表示ステップ；Ｓ１４）。これにより、印刷発注主やデザイナーは、スキャナ手段３ａによって読み取った印刷製版用修正原稿Ｃの読取方向に誤りがないかを確認することができる。
【００５１】
印刷発注主やデザイナーは、ここで、このモニタ表示手段３ｄに表示された印刷製版用修正原稿Ｃの画像方向、即ち、スキャナ手段３ａによる画像読取方向に誤りがないかを確認する。ここで、誤りがあった場合には、画像方向変更操作手段３ｅによってその印刷製版用修正原稿Ｃの画像を所定方向に９０度単位で回転させる操作を行う（Ｓ１５、Ｙｅｓ）。この際、モニタ表示手段３ｄは、この回転角度を指定するための指定画面を表示して、印刷発注主やデザイナーは、当該指定画面において画像方向変更操作手段３ｅの操作によってその回転角度を指定する。これにより、後述する画像方向変更処理手段３ｆが行う回転変換の回転角度の情報が取得される（Ｓ１６）。尚、上述した指定画面においては、後述する画像方向変更処理手段３ｆが保存手段３ｃに保存される印刷製版用修正原稿Ｃのデジタル画像データに対して行う回転変換の角度を９０度単位に規定するべく、例えば当該回転角度を９０度、１８０度、２７０度の何れかで指定するようなボタン表示を行う、或いは、当該９０度単位で順次回転させることができるようなボタン表示を行う。
【００５２】
画像方向変更処理手段３ｆは、その画像方向変更操作手段３ｅによる操作に応じて、保存手段３ｃに保存された印刷製版用修正原稿Ｃのデジタル画像データに対してその画像を所定方向に所定角度だけ回転させる回転変換を行う（回転変換ステップ；Ｓ１７）。これにより、印刷発注主やデザイナーは、再度、スキャナ手段３ａによって印刷製版用修正原稿Ｃを読み取るといった面倒な作業を行うことなく、その印刷製版用修正原稿Ｃの画像方向を容易に修正することができる。
【００５３】
ここで、画像方向変更処理手段３ｆが行う回転変換について説明する。画像方向変更処理手段３ｆは、具体的には、保存手段３ｃに保存された印刷製版用修正原稿Ｃのデジタル画像データを画素単位で読出し、これを自身が有するメモリの所定アドレス、即ち、当該画素単位の画像データの読出しアドレスを“画像方向変更操作手段３ｅの操作によって指定された回転角度”に応じて回転変換した新たなアドレスに、順次、書き込む処理を行う。
【００５４】
より詳細には、画像方向変更処理手段３ｆは、この際、上述した画素単位の画像データの読出しアドレスの座標（ｘ、ｙ）を“画像方向変更操作手段３ｅの操作によって指定された回転角度θ”に応じた回転変換行列（後述する回転行列Ａ）によって回転変換することで、新たな書込みアドレスの座標（Ｘ、Ｙ）を算出する。但し、これら読出しアドレスの座標（ｘ、ｙ）と書込みアドレスの座標（Ｘ、Ｙ）との位置関係は、あくまでも、その相対位置関係を規定したものであるため、実際の処理においては、算出した書込みアドレスの座標（Ｘ、Ｙ）の全てが上述したメモリの記憶領域内に収まるように、その原点の座標位置をシフトさせる必要がある。
【００５５】
以下、参考までに、この書込みアドレスの座標（Ｘ、Ｙ）を算出するための“式１”を記す。
2005340908.tif 000003
【００５６】
このような回転変換の結果、最終的に、当該画像方向変更処理手段３ｆのメモリには、“保存手段３ｃに保存されたデジタル画像データの印刷製版用修正原稿Ｃの画像が画像方向変更操作手段３ｅの操作によって指定された回転角度だけ所定方向に回転された”デジタル画像データが保存される。画像方向変更処理手段３ｆは、さらに、その回転変換された印刷製版用修正原稿Ｃのデジタル画像データを画素単位で読出し、これを保存手段３ｃの所定アドレス、即ち、当該画素単位の画像データの読出しアドレスにそのまま対応する、換言すれば、回転変換を伴わないアドレスに、順次、書き込む処理を行う。その結果、最終的に、保存手段３ｃには、当該回転変換前に保存していたデジタル画像データの印刷製版用修正原稿Ｃの画像を“画像方向変更操作手段３ｅの操作によって指定された回転角度だけ所定方向に回転した”デジタル画像データが新たに保存される。
【００５７】
ここで、モニタ表示手段３ｄは、その回転変換されたデジタル画像データに基づく回転変換後の印刷製版用修正原稿Ｃの画像を表示する（Ｓ１８）。
【００５８】
印刷発注主やデザイナーは、再度、このモニタ表示手段３ｄに表示された印刷製版用修正原稿Ｃの画像方向に誤りがないかを確認する。ここで、誤りがあった場合には（Ｓ１９、Ｎｏ）、上述したＳ１５へ移行する。ここで、誤りがなかった場合には、その印刷製版用修正原稿Ｃのデジタル画像データをクライアント端末１に送信する操作を行う（Ｓ１９、Ｙｅｓ）。
【００５９】
送信手段３ｇは、これを受けて、保存手段３ｃからその印刷製版用修正原稿Ｃのデジタル画像データを読み出して、これをクライアント端末１に送信する（送信ステップ；Ｓ２０）。
【００６０】
一方、クライアント端末１においては、受信手段１ａがこれを受けて（Ｓ２１）、モニタ表示手段１ｂがその受信した回転変換後の印刷製版用修正原稿Ｃのデジタル画像データに基づく印刷製版用修正原稿Ｃの画像を表示する（Ｓ２２）。
【００６１】
印刷会社の作業者は、モニタ表示手段１ｂに表示されたその印刷製版用修正原稿Ｃの画像、即ち、「赤入れ」された印刷製版用原稿の画像を参照して、その修正指示に従って、画像編集手段によって画像編集作業を行う。
【００６２】
編集された印刷製版用原稿の画像データは、再度、制御装置２に送信される。以降、カラーレーザープリンタ３において作成されたカラーカンプの校正にて、印刷発注主やデザイナーにより問題がないことが確認されるまで、上述した工程が繰り返される。
【００６３】
［プログラム及びこれを記憶する記憶媒体］
尚、以上に説明した当該印刷製版用原稿校正システムを構成するカラーレーザープリンタ３において行われる処理、具体的には、図４に示すフローチャートのＳ１０〜Ｓ２０を参照しながら説明した読取ステップ〜送信ステップまでの処理を実行させるためのプログラムは、当該装置３に内蔵、若しくは、接続される記憶媒体に記憶されており、同じく当該装置３に内蔵される演算手段により、これが読み出されて実行されるものとする。
【００６４】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００６５】
以上に説明したように、本実施形態における印刷製版用原稿校正システム、画像出力装置、印刷製版用原稿校正方法、プログラム及びそのプログラムを記憶した記憶媒体によれば、カラーレーザープリンタ３において、修正指示が書き込まれた印刷製版用原稿Ｃをスキャナ手段３ａによって光電的に読み取ったそのデジタル画像データを、画像編集を行うためのクライアント端末１へ送信するに際して、モニタ表示手段３ｄが、そのデジタル画像データに基づき印刷製版用修正原稿Ｃの画像を表示して、ここで、画像方向変更操作手段３ｅによってその画像方向を所定方向に９０度単位で回転させる操作が行われた場合に、これに応じて、画像方向変更処理手段３ｆが、保存手段３ｃに保存されたその印刷製版用修正原稿Ｃのデジタル画像データに対してその画像方向を所定方向に所定角度だけ回転させる回転変換を行うので、作業者は、その印刷製版用修正原稿Ｃの読取方向を確認することができ、その読取方向に誤りがあった場合でも、再度その印刷製版用修正原稿をスキャナ手段３ａによって読み取るといった面倒な作業を行うことなく、容易にこれを修正することができる。
【００６６】
尚、以上に説明した本実施形態における印刷製版用原稿校正システム、画像出力装置、印刷製版用原稿校正方法、プログラム及びそのプログラムを記憶した記憶媒体は、本発明の好適な一実施形態を例示したものであり、その他の実施形態を除外するものではない。
【００６７】
例えば、本実施形態においては、カラーレーザープリンタ３において、クライアント端末１から制御装置２を介して受信したカンプ用画像データに基づくカンプ画像を出力することでカラーカンプを作成して、作業者がその校正を行い、問題がないことが確認された場合に、クライアント端末１において当該カンプ用画像データの面付け作業を行うといった一連の工程において、本発明が適用されることを説明したが、この他にも、例えばＣＴＰ用ＲＩＰ４から印刷製版用原稿の画像データ（但し、カンプ用画像データを複数面付けした画像データ）を制御装置２に送信した場合に、カラーレーザープリンタ３において、この制御装置２を介して受信した印刷製版用原稿の画像データ（但し、カンプ用画像データを複数面付けした画像データ）に基づく印刷製版用原稿の画像を出力することでＤＣＰを作成して、作業者がその校正を行い、問題がないことが確認された場合にＣＴＰ６において当該印刷製版用原稿の印刷作業を行うといった一連の工程において、本発明が適用されることにしても良い。また、図３に示した実施形態では、スキャナ手段３ａ、解像度指定手段３ｂ、保存手段３ｃ、モニタ表示手段３ｄ、画像方向変更操作手段３ｅ、画像方向変更処理手段３ｆ及び送信手段３ｇを全てカラーレーザープリンタ３に搭載しているが、上記各手段のうち３ｃ〜３ｇを図１の制御装置２に組み込み、残りの手段３ａ、３ｂをカラーレーザープリンタ３に搭載する構成としてもよいし、これらの手段３ａ〜３ｇ全てを制御装置２及びカラーレーザープリンタ３のいずれか一方に搭載した構成としてもよい。
【図面の簡単な説明】
【００６８】
【図１】本発明に係る印刷製版用原稿校正システムの一実施形態における全体構成を表す構成図である。
【図２】図１に示す印刷製版用原稿校正システムにおいて行われる印刷製版工程の一連の流れを表すフローチャートである。
【図３】図１に示すカラーレーザープリンタ及びクライアント端末の詳細構成を表す機能ブロック図である。
【図４】図３に示すカラーレーザープリンタとクライアント端末間において行われる印刷製版工程の一連の流れを表すフローチャートである。
【図５】図３に示すカラーレーザープリンタにおいてデジタル画像データの解像度が所定の範囲内に決定される根拠を説明するための説明図である。
【符号の説明】
【００６９】
１  クライアント端末
１ａ  受信手段
１ｂ  モニタ表示手段
２  制御装置
３  カラーレーザープリンタ
３ａ  スキャナ手段
３ｂ  解像度指定手段
３ｃ  保存手段
３ｄ  モニタ表示手段
３ｅ  画像方向変更操作手段
３ｆ  画像方向変更処理手段
３ｇ  送信手段
４  ＣＴＰ用ＲＩＰ
５  ＤＣＰ制御装置
６  ＣＴＰ
７  ＤＣＰ作成装置
Ｃ  印刷製版用修正原稿（赤入れ原稿）
Ｎ  ネットワーク
【図１】
2005340908.tif 000004
【図２】
2005340908.tif 000005
【図３】
2005340908.tif 000006
【図４】
2005340908.tif 000007
【図５】
2005340908.tif 000008